(57)【要約】【課題】コンパクト性に優れ、圧力損失の小さい縦形であり、スクリーン挿着時にはスクリーンとボデーとの隙間を塞いで異物やゴミの流出を防ぎ、スクリーン取り出し時にはこのスクリーンが固着した場合でもスクリーンとボデーとの隙間を確保してこれらが傷付いたり破損することを防ぎつつ、簡単に抜き取ることができるストレーナを提供する。【解決手段】一次、二次側の接続口３０、３１を有するボデー３の上方に設けた開口部１１を蓋体５で着脱自在に被蓋し、この開口部１１より挿入する一次側に流入口１５を有する筒状のスクリーン２をボデー３内に着脱し、ボデー３の一次側流入開口部６０より下方位置で、かつボデー３の二次側に筒状スクリーン２を装着して一次側へ回転させる支点Ｐを設け、筒状スクリーン２の上方位置に設けた押圧手段４の押圧力を介して当該筒状スクリーン２の流入口１５の口縁部４４をボデー３の流入開口部６０側に押し付けた。【選択図】図１
2013107071.tif 000002
【特許請求の範囲】
【請求項１】
一次側と二次側の接続口を有するボデーの上方に設けた開口部を蓋体で着脱自在に被蓋し、この開口部より挿入する一次側に流入口を有する筒状のスクリーンをボデー内に着脱するストレーナにおいて、前記ボデーの一次側流入開口部より下方位置で、かつボデーの二次側に前記筒状スクリーンを装着して一次側へ回転させる支点を設け、前記筒状スクリーンの上方位置に設けた押圧手段の押圧力を介して当該筒状スクリーンの流入口の口縁部を前記ボデーの流入開口部側に押し付けるようにしたことを特徴とするストレーナ。
【請求項２】
前記スクリーンの上方位置に設けた押圧手段である押圧杆を前記スクリーンの径方向に沿って進退自在に設けて前記押圧杆の外端部を前記ボデー内面に押圧した請求項１に記載のストレーナ。
【請求項３】
前記筒状スクリーンの上端枠部に雌ねじ部を固着し、この雌ねじ部に雄ねじ部を有するスクリーンロッドをスクリーンの径方向に進退自在に設けて、このスクリーンロッドの外端部を前記ボデー内周面に押圧した請求項１又は２に記載のストレーナ。
【請求項４】
前記筒状スクリーンの上端枠部の外径を下端枠部の外径よりやや大きくした請求項３に記載のストレーナ。
【請求項５】
前記ボデー内周面に、前記スクリーンロッドの外端部を押圧し、かつ回転方向に係合する位置決め溝を設けた請求項３又は４に記載のストレーナ。
【請求項６】
前記スクリーンロッドの外端部をロッドより径の大きい押圧部とし、内端部には、工具係合可能な係合部を設けた請求項３乃至５の何れか１項に記載のストレーナ。
【請求項７】
前記筒状スクリーンの上部に押圧手段である円弧状の取っ手を回転自在に軸着し、この取っ手の中間位置に凸状部を設け、この凸状部を前記ボデーの開口部二次側に形成した係止溝に前記ボデーの二次側に向けた反力を付与するようにした請求項１に記載のストレーナ。
【請求項８】
前記取っ手の付け根部を前記ボデーの開口部に形成した突起部に当てて回転方向を制限するようにした請求項７に記載のストレーナ。
【請求項９】
前記取っ手の設置位置を前記筒状スクリーンの中心から二次側へ偏芯させた請求項８に記載のストレーナ。
【発明の詳細な説明】
【技術分野】
【０００１】
本発明は、各種の配管ラインを流れる水・油・ガス・空気・蒸気などの各種流体中の異物、配管中の腐食やガスケットなどの剥離によるゴミ等を捕捉するストレーナに関する。
【背景技術】
【０００２】
この種のストレーナは、スクリーンを内蔵し、このスクリーン内に溜まった流体中の異物・ゴミ等を、ストレーナ本体を配管に接続したままの状態で清掃できる構造である。このようなストレーナのうち、Ｙ形ストレーナやＵ形ストレーナよりもコンパクト性の向上や圧力損失の低減が可能なストレーナとして、いわゆる、直通形で縦形と呼ばれるストレーナが提案されている。このストレーナは、流入口と流出口とが略直線上に位置され、流入口と流出口との間にスクリーンが配置された構造になっている。
【０００３】
このような縦形のストレーナとして、例えば、特許文献１のストレーナが知られている。このストレーナでは、流入口と流出口とが一直線上に形成された弁箱内に、この弁箱の流入口と直交し、この流入口に開口孔が合致するように円筒形のストレーナ部材（スクリーン）が収納されている。
また、ＪＩＳ Ｆ ７１２１に示される船用筒形水こしにおいては、本体内に水こし用のこし筒（スクリーン）が収納されている。
これらのストレーナや水こしでは、何れもスクリーン流入側の円筒形部分に開口穴が形成され、ボデーの上部から流路に対して垂直方向からスクリーンを着脱する構造になっている。
【０００４】
更に、スクリーン固定して装着するその他のストレーナとして、特許文献２、３が知られている。
このうち、特許文献２のストレーナでは、流体が略Ｓ字を描くように流れる構造となっており、このＳ字状の流路の構造により、筒状のスクリーンの上部には流体を流すための空間が設けられ、筒状のスクリーンの提手には矩形部分と円形部分とからなる倒鍵孔状孔が設けられ、一方、スクリーンの対応する位置には角棒状の突起が設けられている。使用時（通水時）には、突起を倒鍵孔状孔の矩形部分に嵌合させて提手を固定し、この固定した提手を蓋で押さえることで流体の逆流などによるスクリーンの浮き上がりを防止し、清掃時には、突起を倒鍵孔状孔の円形部分の位置にして回転自在にすることでゴミを取出すストレーナである。
【０００５】
特許文献３においては、流路が直線状であり流体抵抗が特許文献２に比較して低くなっているが、開口が流入口の向きに押し当てられた状態でスクリーンが取付けられている。このストレーナでは、スクリーンが、押圧手段の円錐台部とテーパ面とにより流入口に押し付けられて固定される構造である。
【先行技術文献】
【特許文献】
【０００６】
【特許文献１】実用新案登録第２５９４２８１号公報
【特許文献２】特開昭５６−１７６１７号公報
【特許文献３】特許第４２７２９０７号公報
【発明の概要】
【発明が解決しようとする課題】
【０００７】
しかしながら、特許文献１のストレーナや水こしのように、本体の垂直方向からスクリーンを着脱する構造の場合、ストレーナの挿入間違いを防ぐことは可能であるが、弁箱の流入口とストレーナ部材の開口孔との隙間の閉塞が十分ではなくなり、スクリーンの挿着後に流体を流したときに、スクリーンとボデーとの間に生じた隙間から異物やゴミが流出するおそれがある。一方、ゴミ、異物の除去やスクリーンを清掃するためにこのスクリーンを取り外す場合には、スクリーンとボデーとの隙間にボデーの錆やゴミがつまることでこれらが固着し、スクリーンを取り外せなくなる可能性がある。この対策として防錆塗装を施すことが考えられるが、その際にも、スクリーンの隙間から錆こぶや硬いゴミが飛び出したときにこれらをせん断する方向にスクリーンを抜きとるために強い力が必要になる。しかも、抜き取り時には、錆こぶやゴミによってボデー内部の防錆塗膜が削られてスクリーンが破損するおそれがある。この削られた部分に錆が発生すると、結果的にスクリーンがボデーに固着することに繋がる。
【０００８】
特許文献２のストレーナは、特許文献１とは異なりスクリーンの開口側から流体が流れる構造であるが、流体が略Ｓ字を描くように流れるために流体抵抗が大きくなり、さらに、流路の一次側に提手が露出し、この提手が倒鍵孔状孔を有する構造であるために表面積が大きくなり一層流体抵抗が増加することになる。提手にゴミが引っ掛かったり付着したりすると、流体抵抗で提手が変形したり破損するおそれもあった。ストレーナの製作時には、上記のようにスクリーン上部に流路用の空間を設けていることから、縦方向の寸法が必要になって全体が大型化していた。更に、角棒状の突起や、倒鍵孔状孔の製作が困難であり、突起を倒鍵孔状孔の矩形部分に嵌め込んだ状態でスクリーンを動かすために突起が変形することがあった。この場合、組立て後に提手を確実に保持できなくなり、スクリーン装着時にガタが生じてゴミが漏れるおそれがある。ストレーナの内部を確認しようとした場合には、提手が邪魔になって確認しにくくなることもあった。
【０００９】
特許文献３においては、流路が直線状で流体抵抗は小さくなっているものの、スクリーン開口が流入口の向きに押し当てられた、特殊なスクリーン取付け構造であるため、スクリーン内部を確認するためには、蓋を取り外してスクリーンを本体から取り外す必要があった。しかも、スクリーンを流入口に押し付けるために、円錐台部、テーパ面を有する特殊形状の押圧手段を設ける必要があり、押圧手段の螺子の取付け部分を目視で確認できなくなって取付けも困難になっていた。この場合、取付け時にめねじ部にゴミが入ると螺子としての機能を発揮できなくなり、押圧手段を取付けできなくなることがある。
スクリーンの開口が流路に向けられていることからこのスクリーンにゴミを溜めるための部位がなく、例えば、水平に配管された本体を清掃する際にスクリーンを本体から取り外すと、スクリーン開口側から本体底部（スクリーン二次側）にゴミが漏れる可能性があり、二次側にゴミを流出することを防ぐというストレーナ本来の機能を発揮できなくなることがあった。
【００１０】
本発明は、上記した実情に鑑み、鋭意検討の結果開発に至ったものであり、その目的とするところは、コンパクト性に優れ、圧力損失の小さい縦形のストレーナであり、スクリーンの挿着時には、スクリーンとボデーとの隙間を塞いで異物やゴミの流出を防ぎ、一方、スクリーンの取り出し時には、このスクリーンが固着した場合でもスクリーンとボデーとの隙間を確保してこれらが傷付いたり破損することを防ぎつつ、簡単に抜き取ることができるストレーナを提供することにある。
【課題を解決するための手段】
【００１１】
上記の目的を達成するため、請求項１に係る発明は、一次側と二次側の接続口を有するボデーの上方に設けた開口部を蓋体で着脱自在に被蓋し、この開口部より挿入する一次側に流入口を有する筒状のスクリーンをボデー内に着脱するストレーナにおいて、ボデーの一次側流入開口部より下方位置で、かつボデーの二次側に筒状スクリーンを装着して一次側へ回転させる支点を設け、筒状スクリーンの上方位置に設けた押圧手段の押圧力を介して当該筒状スクリーンの流入口の口縁部をボデーの流入開口部側に押し付けるようにしたストレーナである。
【００１２】
請求項２に係る発明は、スクリーンの上方位置に設けた押圧手段である押圧杆をスクリーンの径方向に沿って進退自在に設けて押圧杆の外端部をボデー内面に押圧したストレーナである。
【００１３】
請求項３に係る発明は、前記筒状スクリーンの上端枠部に雌ねじ部を固着し、この雌ねじ部に雄ねじ部を有するスクリーンロッドをスクリーンの径方向に進退自在に設けて、このスクリーンロッドの外端部をボデー内周面に押圧したストレーナである。
【００１４】
請求項４に係る発明は、筒状スクリーンの上端枠部の外径を下端枠部の外径よりやや大きくしたストレーナである。
【００１５】
請求項５に係る発明は、ボデー内周面に、スクリーンロッドの外端部を押圧し、かつ回転方向に係合する位置決め溝を設けた記載のストレーナである。
【００１６】
請求項６に係る発明は、スクリーンロッドの外端部をロッドより径の大きい押圧部とし、内端部には、工具係合可能な係合部を設けたストレーナである。
【００１７】
請求項７に係る発明は、筒状スクリーンの上部に押圧手段である円弧状の取っ手を回転自在に軸着し、この取っ手の中間位置に凸状部を設け、この凸状部をボデーの開口部二次側に形成した係止溝にボデーの二次側に向けた反力を付与するようにしたストレーナである。
【００１８】
請求項８に係る発明は、取っ手の付け根部をボデーの開口部に形成した突起部に当てて回転方向を制限するようにしたストレーナである。
【００１９】
請求項９に係る発明は、取っ手の設置位置をスクリーンの中心から二次側へ偏芯させたストレーナである。
【発明の効果】
【００２０】
請求項１に係る発明によると、コンパクト性に優れ、圧力損失の小さいストレーナであり、スクリーンの挿着時には、ボデーの一次側流入開口部より下方位置で、かつボデーの二次側に設けた支点に筒形スクリーンの二次側が支えられ、この状態で筒状スクリーン上方を押圧手段の押圧力を介して支点を中心に筒状スクリーンを一次側へ回転させてこの筒状スクリーンの流入口の口縁部をボデー内周に押し付けているため、スクリーンとボデーとの隙間を塞いで異物やゴミの流出を防ぐことができる。そのため、スクリーンとボデーとの間に異物・ゴミや錆が堆積したり二次側に流出することを確実に阻止できる。一方、仮に異物やゴミが堆積してスクリーンが固着した場合でも、筒状スクリーン上方の押圧手段の押圧力を解除することでスクリーンとボデーとの隙間を確保でき、これらが傷付いたり破損することを防ぎつつスクリーンを簡単に抜き取ることができる。しかも、筒状スクリーンの下部を二次側のみ、上部側を一次側のみボデーで支える構造であるため、ゴミ・泥・錆などにより筒状スクリーンがボデーと固着した場合、スクリーンを水平方向に動かして、筒状スクリーンを離脱する際に固着物をせん断方向に引きちぎる力を加えることなく、固形物をスクリーンの穴から抜くだけで簡単にこのスクリーンを取り外しできる。上記のように筒状スクリーンを脱着する際にスライドさせるための支点が、ボデーの一次側流入開口部よりも下方位置にあることで、この支点から力点となる押圧部分までの距離よりも、支点から作用点となるスクリーンの流入口の口縁部までの距離を短くでき、押圧手段によるスクリーンを押圧する力を強くし、スクリーンを離脱するために加える力を軽くできる。
これらのことから、スクリーンを繰り返し着脱した場合でもこのスクリーンとボデーとの封止性を確保しながら挿着でき、長期にわたって優れた濾過性能を維持できる。
【００２１】
請求項２に係る発明によると、コンパクト性に優れ、圧力損失の小さいストレーナであり、スクリーンの挿着時には、スクリーンの上方位置に設けた押圧手段である押圧杆の外端部をボデー内面に押圧させてボデー内周に押し付けるようにスクリーンを固定し、このスクリーンとボデーとの隙間を塞いで異物やゴミの流出を防止できる。そのため、スクリーンとボデーとの間に異物・ゴミや錆が堆積したり二次側への流出を確実に阻止できる。一方、仮に、異物やゴミが堆積してスクリーンが固着した場合でも、押圧杆を径方向に進退させることでスクリーンとボデーとの隙間を確保し、これらが傷付いたり破損することを防ぎつつ簡単にスクリーンを抜き取ることができる。そのため、スクリーンを繰り返し着脱する場合でも、スクリーンとの封止性を確保しながらこのスクリーンを挿着でき、長期にわたって優れた濾過性能を維持できる。
【００２２】
請求項３に係る発明によると、雄ねじ部と雌ねじ部とを介して筒状スクリーン上端側のスクリーンロッドを進退自在に設けていることで、スクリーンロッドを螺入方向に回転させてスクリーンとボデーとの間に隙間を生じさせ、離脱性を向上しながらボデーからスクリーンを簡単に抜き取りできる。また、スクリーンの挿着後に、ボデー方向に進むようにスクリーンロッドを回転させることで、スクリーン全体をボデーの流出口側から流入口側に押し付けて隙間を塞ぐことができる。
【００２３】
請求項４に係る発明によると、筒状スクリーンの上端枠の外径が下端枠部の外径よりもやや大きくなっていることで、筒状スクリーンをボデーの上方側から抜き取るときにスクリーンの円筒状の濾過部分がボデーに接触することを防いで、この円筒部分が擦れたり傷付くことを防止する。
【００２４】
請求項５に係る発明によると、位置決め溝によりスクリーンロッドを位置決めしつつこのスクリーンロッドで隙間を塞ぎ、スクリーンロッドの位置決め溝への回転方向の係合により回転方向の位置出しをしながらスクリーンをボデーに挿着できる。
【００２５】
請求項６に係る発明によると、スクリーンロッド外端部をロッドより径の大きい押圧部とし、スクリーンロッドをスクリーンの外側からボデーとの間に挿着することでこのスクリーンロッドの脱落を防止できる。スクリーンロッドの内端部に工具係合可能な係合部を設けていることで、スクリーンの内側からスクリーンロッドを回転して緩めたり締付けたりすることができる。その際、通常は手で係合部を把持してスクリーンロッドを回転可能であり、特に、固着して動かない場合には工具を使用することで容易に回転できる。
【００２６】
請求項７に係る発明によると、押圧部材である取っ手に設けた凸状部を、ボデー開口部二次側の係止溝にボデーの二次側に向けた反力を付与させながら装着すると、ボデーの二次側下方のスクリーンを支える位置が支点となり、この支点を中心としたてこの作用によりスクリーンをボデー中央部の一次側流入開口部に押し付けることができる。これにより、ボデーとスクリーンとの隙間を極めて小さくして流体中のゴミ、異物を確実に捕捉できる。取っ手を収納できることで、ウォッチグラスから本体内部を覗いたときにこの取っ手が邪魔になることがなく、内部の確認をおこないやすくなる。
【００２７】
請求項８に係る発明によると、取っ手の付け根部をボデーの突起部に当てて回転方向を制限をしていることにより、スクリーンを確実に正しい位置に装着でき、このスクリーンがボデーに対して回転することを防止し、ボデーの一次側流入開口部とスクリーンの流入口との位置ずれを回避してスクリーン流入口からの異物やゴミの流出を防止できる。
【００２８】
請求項９に係る発明によると、筒状スクリーンの中心と取っ手の中心との位置をずらすことにより、取っ手を逆方向にしたときにこの取っ手がスクリーン上部に干渉し、この取っ手が邪魔になって蓋体を組立てできなくなる。このため、取付け方向を間違った状態でスクリーンを装着することを確実に防止できる。
【図面の簡単な説明】
【００２９】
【図１】本発明のストレーナの第１実施形態を示した縦断面図である。
【図２】図１における筒状スクリーンの中央縦断面図である。
【図３】本発明のストレーナの第１実施形態を示した平面図である。
【図４】押圧杆の他例を示す平面図である。
【図５】筒状スクリーンの他例を示す中央縦断面図である。
【図６】本発明のストレーナの第２実施形態を示した縦断面図である。
【図７】図６のストレーナのボデー内部を示した斜視図である。
【図８】図６のＡ−Ａ断面図である。
【図９】スクリーン離脱時の過程を示した断面図である。
【図１０】図７の平面図である。
【図１１】凸状部の係止溝への装着状態を示した概略平面図である。
【図１２】図１１のＢ−Ｂ拡大断面図である。
【図１３】筒状スクリーンの斜視図である。
【発明を実施するための形態】
【００３０】
以下に、本発明におけるストレーナの実施形態を図面に基づいて詳しく説明する。図１、図２においては、本発明のストレーナの第１実施形態を示している。本発明におけるストレーナ本体１は、筒状スクリーン２、この筒状スクリーン収納用のボデー３、スクリーンロッドからなる押圧杆４、蓋体５を有している。
【００３１】
図１、図２に示した筒状スクリーン２は、例えば、ステンレス等の材料によりボデー３内の後述の収納部１０よりもやや縮径した円筒状に形成され、ボデー３の開口部１１から挿着されてこの収納部１０に着脱可能になっている。スクリーン２は、筒部１２と、この筒部１２の底部側を閉塞する底板１３とを有している。筒部１２と底板１３とには、パンチング等の加工手段により多数の小孔１４が形成されている。筒部１２の一次側には流入口１５が形成されており、この流入口１５から流体を流入して濾過可能になっている。
【００３２】
スクリーン２の筒部１２の上端側・下端側には、上端枠部１６・下端枠部１７がそれぞれ取付けられ、筒部１２はこの上端枠部１６、下端枠部１７によって上下部位が補強されている。上端枠部１６の外径は下端枠部１７の外径よりもやや大きく設けられており、具体的には、例えば、上端枠部において上端部側から１８ｍｍの幅の範囲の外径をφ８７ｍｍとしたときに、下端枠部の外径をφ８４ｍｍとしている。
【００３３】
上端枠部１６には、略円筒状のコマ体１８が溶接等の固着手段で固着されている。コマ体１８の内周には雌ねじ部２０が形成され、この雄ねじ部２０にスクリーンロッド４が取付けられる。このスクリーン２の上方位置に設けたスクリーンロッド４が押圧手段となる。
【００３４】
スクリーンロッド４は、雌ねじ部２０に螺合可能な雄ねじ部２１を有しており、この雄ねじ部２１を雌ねじ部２０に螺合することでスクリーン２の径方向に進退自在に設けられている。この場合、雌ねじ部２０に対して雄ねじ部２１を緩めたときに、スクリーンロッド４の外端部２２をボデー内周面２３に押圧することが可能になっている。
【００３５】
スクリーンロッド外端部２２は、スクリーンロッド４を構成するロッド２４よりも大きい径に設けられ、この外端部２２が押圧部をなしている。一方、スクリーンロッド４の内端部２５には工具係合可能な係合部２６を設けており、この係合部２６は図示しない六角レンチで回転可能な六角部よりなっている。スクリーンロッド４は、通常は手で回転可能であるが、固着して動かなくなった場合などに六角レンチで回転することも可能であり、これにより容易に回転できる。スクリーンロッド４は、外端部４をスクリーン２の外側、係合部２６をスクリーン２の内側とした向きでスクリーン２の外側から内側にコマ体１８に螺合して取付けられる。
【００３６】
上端枠部１６には２つの穿孔穴２７、２７が形成され、この穿孔穴２７、２７にはガイド杆２８が取付けられている。ガイド杆２８は、スクリーン２の径方向に一部が突設され、この突設部位がボデー３への係止部２９となる。
【００３７】
図１において、ボデー３は、例えば、鋳鉄・鋳鋼や黄銅・青銅等の材料により成形され一次側・二次側の接続口３０、３１を有している。ボデー３の上方にはスクリーン２着脱用の開口部１１が設けられ、この開口部１１は蓋体５により被蓋可能になっている。接続口３０、３１との間に、開口部１１に続けてスクリーン２よりも上下部位がやや大径の収納部１０が設けられ、この収納部１０はスクリーン２の形状に合わせて下部側の外径よりも上部側の外径がやや大径に形成されている。収納部１０における一次側接続口３０の開口側には、環状のシール面３２が形成されている。
【００３８】
ボデー３には、接続口３０、３１に続けて一次側流入開口部６０、二次側流出開口部６１がそれぞれ形成されている。ボデー３の一次側流入開口部６０より下方位置で、かつボデー３の二次側流出開口部６１側にはスクリーン２との支点Ｐを形成する段部６２が設けられ、この支点Ｐにスクリーン２を装着してこの支点Ｐを中心にスクリーン２を回転させることが可能になっている。この場合、ボデー３における前記スクリーンロッド外端部２２の押圧部分が力点Ｔとなる。ボデー３のシール面３２において、スクリーン流入口１５の外周縁部である口縁部４４との当接位置が作用点Ｓとなる。
【００３９】
本発明のストレーナは、筒状スクリーン２の上方位置に設けた押圧手段であるスクリーンロッド４の押圧力を介して、当該スクリーン２の口縁部４４をボデー３の流入開口部６０側に押し付けるようにしたものである。この場合、前述の雌ねじ部２０に対して雄ねじ部２１を緩めたときに、スクリーンロッド４の外端部２２がボデー内周面２３を押圧して力点Ｔに力が加わり、図１において支点Ｐを中心にスクリーン２が左方向に回転しようとする。このときの力が作用点Ｓに作用して、筒状スクリーン２の口縁部４４をボデー３の一次側流入開口部６０側に押し付けることが可能になる。
【００４０】
開口部１１側のボデー内周面２３には位置決め溝３３が適宜の深さで形成され、スクリーン２を収納部１０に挿着したときには、この位置決め溝３３にスクリーンロッド外端部２２が係合されることで、回転方向の向きが位置決めされた状態でスクリーンロッド４が装着される。位置決め溝３３は、ボデー内周面２３の二次側に設けられ、スクリーン２を挿着したときには、スクリーンロッドの外端部２２を押圧してスクリーン２とボデー３との間の隙間を抑えた状態で設置でき、かつ、外端部２２を回転方向に係合することで位置決めした状態を保持している。位置決め溝３３は、スクリーン２をボデー３に挿入したときに、外端部２２の位置が流路から４５°以内となる範囲に設けることが望ましい。特に、スクリーンロッド４を１箇所に設け、このスクリーンロッド４を流路に対して平行に配置したときに後述する機能が最も効率的に発揮される。スクリーンロッド４の流路からの角度を４５°以上に設けた場合には、スクリーン２を１次側に押さえつける力よりも横方向に押さえつける力が強くなるため望ましいことではない。
【００４１】
図３に示すように、開口部１１には係止溝部３５が一部を切欠いて形成され、この係止溝部３５にガイド杆２８の係止部２９を係止可能になっている。スクリーン２の挿着時には、係止溝部３５に係止部２９を係止させることで、スクリーン２を正しい向きでボデー３に取付けできることから組み間違いを防止できる。さらに、ガイド杆２８をスクリーン着脱用の取っ手として使用できる。係止溝部３５の上方側には、この係止溝部３５や収納部１０よりも拡径した環状凹溝３６が所定の深さで形成されている。この環状凹溝３６の外側には４本のおねじ３７が埋め込みにより取付けられている。
【００４２】
収納部１０の下方側、すなわち、スクリーン２の底面２ａが載置する側には、図１に示すように、突状の載置部３８と、この載置部３８の間に凹部３９が形成されている。載置部３８はスクリーン２を載置可能な形状に設けられ、スクリーン２を載置したときに底面２ａとの間に凹部３９により空間部位が形成される。これにより、底面２ａ全体が収納部１０に接触することが防がれ、底面２ａ側に錆が発生してこの底面２ａが収納部１０に固着することを防いでいる。
【００４３】
ボデー３の両側にはフランジ部４０が形成され、このフランジ部４０には取付穴４１が形成されている。ストレーナ本体１は、フランジ部４０を介して図示しない外部流路に接続可能になっている。図示しないが、フランジ部４０の代わりに各種の接続構造を設けてもよい。
【００４４】
図１に示すように、蓋体５は、開口部１１を被蓋可能な大きさに形成され、おねじ３７と対応する位置に図示しない挿通穴が穿孔されている。蓋体５は挿通穴におねじ３７を挿入しながらボデー３に載置され、おねじ３７にナット４２を螺合することでボデー３に取付けられる。ボデーと蓋体との間の環状凹溝３６にはガスケット４３が挟着され、このガスケット４３により開口部１１からの流体漏れが防がれる。
図示しないが、蓋体５の中央部位に開口穴を形成し、この開口穴に透明のガラス板やアクリル板を取付けることで、蓋体５を介して外側からスクリーン２の内部の異物・ゴミ等の堆積状態を視認することもできる。
【００４５】
ストレーナ本体１において、前記したようにボデー３に対してスクリーン２の上端に設けたスクリーンロッド４が押圧杆としてスクリーン２の径方向に沿って進退自在に設けられ、この押圧杆４の外端部２２をボデー内面２３に押圧可能にしつつ、スクリーン２を着脱可能になっている。スクリーン２は流入口１５が一次側接続口３０に対向配置され、シール面３２に流入口１５の口縁部４４が圧接シールした状態でボデー３内に挿着される。
【００４６】
なお、前述したスクリーンロッド（押圧杆）４は必ずしもスクリーン２側に設けられている必要はなく、ボデー３側に配設してもよい。さらに、スクリーンロッド４を複数設けるようにしてもよく、スクリーン２の適宜の位置に設けることもできる。
スクリーン２は、強度を確保していればステンレス以外の金属材料や、或は樹脂材料等を用いて製作することもでき、ストレーナ本体１の使用温度や流体の条件に応じて最適な材料を選択できる。更に、パンチングにより小孔１４を設けているが、図示しない金網等のメッシュにより円筒状のスクリーンを形成したり、或は、小孔を設けたスクリーンの内側にメッシュを貼り付けるようにしてもよい。
【００４７】
続いて、上述した実施形態のストレーナにおいて、ボデー３にスクリーン２を着脱する場合を述べる。
先ず、ボデー３にスクリーン２を取付ける場合には、流入口１５を一次側接続口３０に対向させるようにして、スクリーンロッド４の押圧部（外端部）２２を位置決め溝３３、ガイド杆２８の係止部２９を係止溝部３５にそれぞれ係合させながら開口部１１から収納部１０にスクリーン２を挿着する。このとき、収納部１０の上下部位がスクリーン２よりもやや大径に形成されていることでこの上下部位とスクリーン２との間に空間が形成されるため容易にスクリーン２を挿着でき、しかも、収納部１０の上部側が下部側よりもやや大径になっていることから、スクリーン２の挿入がより簡単になっている。
スクリーン２は、押圧部２２と位置決め溝３３、係止部２９と係止溝部３５との各係合により流入口１５がシール面３２に位置決めされた状態で挿着され、回り止めされていることでこの位置決め状態が保持される。
【００４８】
続いて、図１、図３において、スクリーンロッド４の係合部２６を手で把持するか、或はこの係合部２６に工具を係合させ、外端部２２をボデー内周面２３に進出させる方向に回転させ、スクリーン２を水平方向に移動させながら外端部２２をボデー内周面２３に押圧させる。これにより、スクリーン２がボデー３の二次側接続口３１側から一次側接続口３０側に押し付けられながら固定される。このとき、特に、上端枠部１６の外周部位、下端枠部１７の外周部位がそれぞれボデー内周面２３、口縁部４４がシール面３２により強く圧接されてボデー３とスクリーン２との隙間が塞がれる。そのためスクリーン２の水平方向の動きが抑制され、流体中の異物・配管内腐食や図示しないシール部材の剥離によるゴミ等をスクリーン２で捕捉し、これらの二次側への流出を確実に阻止して水・油・ガス・空気・蒸気などの各種流体を濾過できる。このとき、ストレーナ本体１が縦形であることにより、濾過した流体を直線状に流出して圧力損失が抑えられている。
スクリーン２は、例えば、ボデー３の上部側における左右と２次側、下部側における左右と１次側の上下それぞれ３箇所で支えられる。
【００４９】
一方、ボデー３からスクリーン２を取り外す際には、ナット４２の螺合を外し、蓋体５とガスケット４３とをボデー３から取り外して、開口部１１を開口させる。
次いで、係合部２６を手で把持するか、或は工具を用いて外端部２２をボデー内周面２３から離間させる方向に回転させ、スクリーン２を水平方向に移動させて外端部２２とボデー内周面２３との間に隙間を発生させる。このときにスクリーン２がボデー３に押圧される力が解除されてスクリーン２の水平方向の動きが自由になることで、上端枠部１６の外周部位、下端枠部１７の外周部位とボデー内周面２３、口縁部４４とシール面３２との間にもそれぞれ隙間が発生する。そのためスクリーン２とボデー３との離脱性が向上し、ガイド杆２８を取っ手として上方に引き上げることでボデー３からスクリーン２を簡単に抜き取ることができ、スクリーン２とボデー３との間に錆やゴミ・異物等がつまって固着している場合にも強い力を加えることなく容易な抜き取りが可能となる。
錆こぶや硬いゴミなどをせん断することなくスクリーン２を抜き取ることができるため、防錆塗装を施した場合にもこの塗装が削られて錆が発生したりスクリーン２の破損を防止でき、長期に渡ってスクリーン２による高い濾過機能を発揮できる。
【００５０】
スクリーン２は、前述したようにボデー３に上下それぞれ３箇所で支えられているが、このスクリーン２の上部側を下部側よりも大径に設けていることでボデー３の開口上部側にスクリーン２が干渉することを防止し、スクリーン２が擦れたりすることが回避される。
【００５１】
このように、スクリーン２をボデー３上部の開口部１１より着脱できるため、メンテナンスも容易である。また、この縦形のストレーナ構造により、コンパクト性に優れ、単純な内部構造で構成できるため部品点数も少なくなって低コストで製作可能である。
【００５２】
図４においては押圧杆の他例を示している。この押圧杆４５は六角ボルトからなり、この六角ボルト４５をボデー３に設けたねじ穴４６にボデー３の外側から進退自在に螺入することで、この六角ボルトの先端４７でスクリーン２をボデー２の外部から流入側に押し付け可能に設けたものである。このように押圧杆を六角ボルト４５とした場合にも、前述の場合と同様の効果を発揮できる。
【００５３】
図５においては筒状スクリーンの他例を示している。この筒状スクリーン４８では、板材４９がリベット５０により止められて押圧杆５１が設けられ、この押圧杆５１がピン５２を介して径方向に沿って進退自在に設けられている。このように押圧杆５１をスクリーン４８に設け、この押圧杆５１の外端部５３でボデー内面を押圧することもできる。
【００５４】
図６においては、本発明のストレーナの第２実施形態を示している。なお、この実施形態において、前記実施形態と同一部分を同一符号によって表している。このストレーナ本体７０は、筒状スクリーン７１、この筒状スクリーン収納用のボデー７２、蓋体であるカバー７３を有している。
【００５５】
図１３に示した筒状スクリーン７１は、例えば、ステンレス材料により設けられ、前記実施形態と共通の筒部１２と底板１３とを有しており、ボデー７２の一次側から入ってきた異物・ゴミ等を捕捉して濾過可能になっている。筒部１２と底板１３とは溶接によって一体に設けられ、筒部１２の流入口１５から流入した異物・ゴミ等が、底から落ちないようになっている。筒部１２は円筒状に形成され、端部同士が合わせ板７４により溶接で固着されている。合わせ板７４は、筒部１２の端部同士の合わせ部分を平らにしながら溶接され、これにより、丸く形成された円筒スクリーン７１全体の形状が保持される。流入口１５の外周側には、ボデー３の一次側流入開口部６０に押し付け可能な外周縁部である口縁部４４が形成されている。
【００５６】
図１０、図１１に示すように、筒状スクリーン７１には押圧手段である取っ手７５が設けられている。取っ手７５は、筒部１２よりも大きい径によって円弧状に設けられている。取っ手７５の両側の端部７６、７６はそれぞれ曲折形成され、この曲折により付け根部７７、７７が設けられている。端部７６は筒部１２の上部に形成された孔部７８に挿入され、これにより筒部１２に回転自在に軸着されている。取っ手７５の中間位置には凸状部８０が設けられ、この凸状部８０をつかみながら筒状スクリーン７１を回転させることでこの筒状スクリーン７１をボデー７２に着脱可能となる。
【００５７】
図１０において、取っ手７５の設置位置は、筒状スクリーン７１の中心（筒部１２の中心）Оから二次側へ偏芯されている。このため、取っ手７５を筒部１２に対して回転したときに、二次側には所定の状態まで倒すことが可能になり、一方、一次側には中央付近（凸状部８０付近）が筒部１２の上部に干渉して倒すことができなくなっている。このように、取っ手７５は、スクリーン７１の取付け方向を間違えないようにする役割を有している。
【００５８】
図７に示したボデー７２は、前記実施形態と共通の材料によって形成され、例えば、青銅によって成形される。図９、図１０において、ボデー７２は、一次側と二次側の接続口８１、８２を有し、これらの接続口８１、８２は、図のような連通穴以外であってもよく、例えば雌ネジを設けるようにしてもよい。ボデー７２にはスクリーン７１着脱用の開口部８３が設けられ、この開口部８３側には、図１１においてハッチングで示したガスケット４３装着用の環状凹溝８９が形成されている。開口部８３の内側の二次側には円弧状の凹状部８４が切欠き形成され、この凹状部８４の二次側に凸状部８０を係止可能な係止溝８５が、環状凹溝８９を切欠くように形成されている。更に、開口部８３における付け根部７７の配設位置よりも一次側には、突起部８６が内周方向に突出して形成され、開口部８３の一次側には、筒部１２が係合可能な円弧状縁部８７が設けられている。
【００５９】
図６、図８に示すように、ボデー７２の収納部１０の下部においては、二次側の載置部３８に係合段部８８が形成され、この係合段部８８が支点Ｐとなってスクリーン７１の二次側下部を係合することが可能になっている。係合段部８８の上方にはアール状の案内面部９６が形成されている。収納部１０下部の二次側両側には、ガイド部９７、９７が設けられ、このガイド部９７は、アール状の案内面９８と、小載置部９９とを有している。案内面部９６、案内面９８は、収納部１０から緩やかに縮径するように形成され、この案内面部９６、案内面９８の内周面側でスクリーン７１外周側を保持可能になっている。載置部３８、小載置部９９は、スクリーン７１の底面側を載置するために同じ高さに設けられている。
【００６０】
図６において、カバー７３は、開口部８３を被蓋可能な大きさに形成され、図示しない着脱用挿通穴が設けられている。カバー７３の中央には装着穴部９０が設けられ、この装着穴部９０の出口側に取付段部９１、穴部内周に環状溝９２が形成されている。装着穴部９０にはウォッチグラス９３が装着され、このウォッチグラス９３は取付段部９１に当接して位置保持されている。ウォッチグラス９３は、透明或は半透明のガラス、又はアクリル等の樹脂材料により成形されている。環状溝９２にはゴム製のＯリング９４が装着され、このＯリング９４でウォッチグラス９３とカバー７３との間の漏れが防がれている。ストレーナの使用時には、ウォッチグラス９３を介して内部のゴミ詰まりを目視により確認できる。ボデー７２とカバー７３との間には前記実施形態と共通のガスケット４３が装着され、このガスケット４３によりこれらの間からの漏れが防がれている。
【００６１】
カバー７３は、ウォッチグラス９３、Ｏリング９４が装着された状態で、六角穴付きボルト９５により挿通穴を介してボデー７２に固定される。六角穴付きボルト９５の締付けにより、ガスケット４３を潰してボデー７２との間の漏れを確実に防ぐことができる。このとき、ガスケット４３がスクリーン７１上端に当接してスクリーン７１の公差を吸収し、スクリーン７１がボデー７２内部でガタつくことを防ぎながら装着される。さらに、このガスケット４３により、凹状部８４内に装着された取っ手７５が保護される。
【００６２】
筒状スクリーン７１のボデー７２への挿入時には、取っ手７５を持ちながら挿入し、このときボデー７２の中心を境に二次側下部のみに係合段部８８が設けられ、一次側上部のみに円弧状縁部８７が設けられていることから、スクリーン７１をボデー７２に接触させることなく挿入できる。スクリーン７１とボデー７２とが接していると、異物の噛み込みや固着によりスクリーン７１を装着できなくなるが、これらの接触を防いでいることで確実にスクリーン７１を着脱でき、しかも、シール面３２から係合段部８８までの距離を厳しい公差にしながらボデー７２を製作できる。
【００６３】
筒状スクリーン７１を挿入し、この筒状スクリーン７１の底板１３側が案内面部９６、案内面９８の位置まで達すると、これらの案内面部９６、案内面９８に沿うように載置部３８、小載置部９９まで案内される。このように、スクリーン７１をボデー７２の二次側に沿わせるように挿入するだけで、スクリーン７１下部側の保持用として狭くなっている載置部３８、小載置部９９まで案内して所定の状態に載置できる。挿入時には、スクリーン７１の上部側をボデー７２の流路方向に可動できるため、取っ手７１でスクリーン７１上部側を流路方向に動かすことでスクリーン７１を簡単に挿入できる。
【００６４】
続いて、凸状部８０を回転させて係止溝８５に装着すると、図６、図７、図１２において、取っ手７５の弾性力により力点Ｔにおいて凸状部８０が係止溝８５にボデー７２の二次側に向けた反力を付与し、この反力によって筒状スクリーン７１の上部側が開口部８３側に位置決め固定される。このようにして、スクリーン７１は、上下側でボデー７２内に所定状態に装着される。このとき、筒部１２の二次側下部と係合段部８８との係合部位が支点Ｐとなり、この支点Ｐを中心に凸状部８０の反力でスクリーン７１が一次側流入開口部６０方向に回転する。これによって、口縁部４４が一次側流入開口部６０のシール面３２に押し付けられ、この押圧部位が作用点Ｓとなって口縁部４４とシール面３２とが密着する。スクリーン７１の一次側上部は、円弧状縁部８７に係合し、この係合と凸状部８０の係止溝８５への装着によってスクリーン７１上部側が位置保持されている。このように取っ手７５の弾性力により、スクリーン７１上部の一、二次側と、下部の二次側とがボデー７２内に強固に押し付けられた状態になる。
【００６５】
装着後において、中心Ｏを軸としてスクリーン７１がボデー７２に対して回転しようとすると、取っ手７５の付け根部７７がボデー７２の突起部８６に当たって回転方向を制限する。これにより、ボデー７２の一次側流入開口部６０とスクリーンの流入口１５との位置ずれを防いで異物やゴミの漏れを防止できる。
更に、スクリーン７１の外径よりも取っ手７５の径を大きくすることと、ボデー７２上部のスクリーン７１の支承部位である円弧状縁部８７、突起部８６を一次側のみに設けることによって、スクリーン７１の中心Ｏに対する回転方向への制限がかかり、このスクリーン７１を確実に正しい方向に取付けることができる。
【００６６】
図９において、筒状スクリーン７１をボデー７２から離脱させるときには、係止溝８５から凸状部８０を外すように取っ手７５を回転させる。この場合、支点Ｐから力点Ｔまでの距離よりも支点Ｐから作用点Ｓまでの距離が近いことで作用点Ｓに発生する力がより強くなり、スクリーン７１がボデー７２との接触部位から斜め方向に簡単に離れやすくなっている。
【００６７】
次いで、取っ手７５を引っ張るようにして筒状スクリーン７１を二次側へスライドさせ、上方に抜き取ることで簡単に取り外しできる。スクリーン７１離脱時には、小孔１４等に固形化した砂などが詰まった場合でも、固形物をせん断することなく収納部１０から引き抜く方向に移動させるだけで軽い力で離脱させることが可能となる。しかも、係合段部８８の上端が支点Ｐとなって接触面積の大きい口縁部４４により作用点Ｓにおける力を増幅できるため、スクリーン７１の離脱をよりおこない易くできる。
【符号の説明】
【００６８】
１、７０  ストレーナ本体
２、７１  筒状スクリーン
３、７２  ボデー
４  スクリーンロッド（押圧杆）
５、７３  蓋体
１１、８３  開口部
１５  流入口
１６  上端枠部
１７  下端枠部
２０  雌ねじ部
２１  雄ねじ部
２２  押圧部（外端部）
２３  ボデー内周面
２４  ロッド
２５  内端部
２６  係合部
３０  一次側接続口
３１  二次側接続口
３３  位置決め溝
４４  外周縁部（口縁部）
６０  一次側流入開口部
６１  二次側流出開口部
７５  取っ手
７７  付け根部
８０  凸状部
８５  係止溝
８６  突起部
Ｏ  中心
Ｐ  支点
【図１】
2013107071.tif 000003
【図２】
2013107071.tif 000004
【図３】
2013107071.tif 000005
【図４】
2013107071.tif 000006
【図５】
2013107071.tif 000007
【図６】
2013107071.tif 000008
【図７】
2013107071.tif 000009
【図８】
2013107071.tif 000010
【図９】
2013107071.tif 000011
【図１０】
2013107071.tif 000012
【図１１】
2013107071.tif 000013
【図１２】
2013107071.tif 000014
【図１３】
2013107071.tif 000015